(57)【要約】      （修正有）【課題】格段の部材を準備することなく、樹根が成長した段階でも樹根や発根の伸びる方向を誘導できるようにした樹木の樹根・発根の誘導方法を提供する。【解決手段】樹木２０周囲の樹根２１又は発根を伸長させるべき方向に位置する領域の土壌を溝状又は坪状に改良し、改良した土壌上に石板１６又は塊状の石材を敷設して石板又は石材と土壌との温度差によって石板又は石材の下側に地中水分を結露させ又は湿潤させた領域を作り出し、樹木の樹根又は発根の伸びる方向を上記地中水分を結露させ又は湿潤させた領域に誘導するようにした。【選択図】図３
2020167954.tif 000002
【特許請求の範囲】
【請求項１】
樹木（２０）周囲の樹根（２１）又は発根（２２）を伸長させるべき方向に位置する領域（１１）の土壌を溝状又は坪状に改良し、該改良した土壌（１２、１３）の上に石板（１６）又は塊状の石材を敷設して該石板（１６）又は石材と土壌との温度差によって上記石板（１６）又は石材の下側に地中水分を結露させ又は湿潤させた領域を作り出し、樹木（２０）の樹根（２１）又は発根（２２）の伸びる方向を上記地中水分を結露させ又は湿潤させた領域（１２、１３）に誘導するようしたことを特徴とする樹木の樹根・発根の誘導方法。
【請求項２】
上記樹木（２０）周囲の樹根（２１）又は発根（２２）を伸長させるべき方向に位置する領域（１１）の土壌に空気を供給する管（１４、１５）を埋設するようにした請求項１記載の樹木の樹根・発根の誘導方法。
【請求項３】
上記樹木（２０）周囲の樹根（２１）又は発根（２２）を伸長させるべき方向に位置する領域（１１）に水分を灌注するようにした請求項１記載の樹木の樹根・発根の誘導方法。
【発明の詳細な説明】
【技術分野】
【０００１】
本発明は樹木の樹根・発根の誘導方法に関し、具体的には格段の部材を準備することなく、樹根が成長した段階でも樹根や発根の伸びる方向を誘導できるようにした誘導方法に関する。
【背景技術】
【０００２】
例えば、寺院や神社の境内、公園、道路には樹木がよく植えられているが、公園や道路の樹木は踏圧によって土壌が固結して衰退することがある。
【０００３】
また、石畳、街路樹の塊状石材やブロックなどの下側にある樹根は成長し肥大化すると、石畳、石材やブロックを持ち上げて通行の障害になることがあり、特に夜間などその盛り上がりが見え難いため歩行者の妨げとなりやすい。広い歩道であればその弊害は無視できるが、都会では広い歩道を設けることは難しくその対策が求められる。
【０００４】
これに対し、樹木の下側に空洞を設け、樹木を自重によって沈下させて樹根の盛り上がりを低下させる方法（特許文献２）、発根の忌避剤を含有させた樹根忌避用シート材を樹木の根元の土壌上に敷設する方法（特許文献１）、伸びた樹根を途中で切断し、下向きに湾曲した断面凹状の被覆部材で切断した樹根を覆い、樹根の伸びる方向を下向きに誘導する方法（特許文献３）、が提案されている。
【先行技術文献】
【特許文献】
【０００５】
【特許文献１】特開２００４−１６８６８１号公報
【特許文献２】特開２０１２−１７０３４１号公報
【特許文献３】特開２０１８−１２６０６３号公報
【発明の開示】
【発明が解決しようとする課題】
【０００６】
しかし、特許文献１、２記載の方法では樹根の初期発根の段階で適用して効果を発揮するものの、樹根が成長した段階で適用してもそれほど効果が得られない。
他方、特許文献３記載の方法では樹根が成長した段階でも効果を奏するものの、別途被覆部材を準備しなければならず、煩わしい。
【０００７】
本発明はかかる問題点に鑑み、格段の部材を準備することなく、樹根が成長した段階でも樹根や発根の伸びる方向を誘導できるようにした樹木の樹根・発根の誘導方法を提供することを課題とする。
【課題を解決するための手段】
【０００８】
そこで、本発明に係る樹木の樹根・発根の誘導方法は、樹木周囲の樹根又は発根を伸長させるべき方向に位置する土壌を溝状又は坪状に改良し、該改良した土壌の上に石板又は塊状の石材を敷設して該石板又は石材と土壌との温度差によって上記石板又は石材の下側に地中水分を結露させ又は湿潤させた領域を作り出し、樹木の樹根又は発根の伸びる方向を上記地中水分を結露させ又は湿潤させた領域に誘導するようしたことを特徴とする。
【０００９】
本件発明者らは石畳や街路樹の塊状の石材やブロックなどの下側にある樹根が成長し肥大して石畳や石材等を持ち上げる問題を解消すべく、石畳や石材等の下に樹根が伸びる現象を自然の状況下で実験し実証したところ、石畳や石材等と土壌との温度差によって石畳や石材等の下側に地中水分が結露し湿潤した状態が出現することを知見するに至った。また、自然界の山道等でも外気温と石材との問に温度差が生じた場合、結露することも確認した。樹木の根は水と空気(酸素)を求めて伸長する。その結果、結露や湿潤する石畳や石材の下側は樹木の初期発根には好条件であることが判明した。
【００１０】
本発明の特徴の１つは樹根又は発根を伸長させる領域を土壌改良し、その上に石畳や石材（ブロックを含む）を敷き詰めてその下側に地中水分を結露させ又は湿潤させた領域を作るようにした点にある。
【００１１】
これにより、樹木の樹根や発根の伸びる方向を土壌改良した領域に誘導することができ、石材等を持ち上げることなく樹根を伸長させ肥大させることができる。
【００１２】
かかる方法は既に樹根がある場所における衰退樹木の樹勢回復や太い樹根を切らずに樹勢回復をすることができ、特に土壌の踏圧対策に有効である。
【００１３】
石板や石材は溝状又は坪状に土壌改良した既存土壌の硬い擁壁を利用して支持してもよく、あるいは部分的に石材やブロックを積み上げて支持してもよく、これによって石板や石材の白然沈下を抑制することができる。
【００１４】
地中水分を結露させ又は湿潤させやすくするために土壌改良する領域に水分を土壌灌注するのがよい。
【００１５】
また、土地に空気を供給する通路を形成するのがよい。空気の供給通路は割竹を用いてもよく、又竹や藤などの自然素材を用いて内径５ｃｍ〜１５ｃｍ程度の筒状に編んだ網籠を用いてもよく、さらに合成樹脂材料を用いて内径５ｃｍ〜１６ｃｍ程度の筒状に製造したネット状パイプを用いることもできる。
【００１６】
網籠は土壌で自然分解する物性を有し、改良土壌中に埋め戻し、空気供給管や肥料管として用いることができる。他方、ネット状パイプは耐久性を有し、長期にわたって放置して空気供給パイプとして用いるのに便利である。
【００１７】
ところで、樹根の案内に既存のポカラ工法やコンクリート製のＵ字溝を伏せる工法を採用することが提案される。しかし、ポカラ工法は樹根のない新たなところに埋設するので、既に樹根のある場所には埋設できない。また、Ｕ字溝を伏せる工法では既に伸長した樹根がＵ字溝の邪魔となって施工範囲や場所が限定される。これに対して本件発明では発根を誘導する領域を土壌改良し、その上石板や石材を敷き詰める工法であるので、かかる不具合はない。
【図面の簡単な説明】
【００１８】
【図１】本発明に係る樹木の樹根・発根の誘導方法の好ましい実施形態を示す断面模式図である。
【図２】上記実施形態を示す平面模式図である。
【図３】上記実施形態を示す断面拡大模式図である。
【図４】上記実施形態における石板を砂利などで埋め戻した状態（Ａ）及び敷設した石板を露出させて石畳とした状態（Ｂ）を示す図である。
【図５】上記実施形態における石板の支持構造の一例を示す図である。
【図６】上記実施形態における石板の支持構造の他の例を示す図である。
【発明を実施するための形態】
【００１９】
以下、本発明を図面に示す具体例に基づいて詳細に説明する。図１ないし図６は本発明に係る樹木の樹根・発根の誘導方法の好ましい実施形態を示す。樹木２０の樹根２１や発根２２の誘導を行う場合、図１及び図２に示されるように、誘導すべき範囲１１に土壌灌注１９を行うとともに、割竹１５を適宜の間隔で縦に埋設して土壌に空気を供給するようにする。
【００２０】
また、樹根２１や発根２２を伸ばすべき方向には樹根２１や発根２２の状況、例えば既存の樹根２１か否か、初期発根２２か否かに応じて溝状の土壌改良や坪状の土壌改良を行う。溝状に土壌改良した領域１２及び坪状に土壌改良した領域１３には樹根２１や発根２２の伸長を確認するためのネット状パイプ１４を縦方向に埋設し、割竹１５やネット状パイプ１４の上に不織布などを載せ、その上に石板１６を敷設する。石板１６は図５に示すように土壌改良した領域１２の一部の側面に石材やブロックを積み上げて支持壁１７を構築し、これで石板１６を受けて支持してもよく、土壌が硬い場合には図６に示すように段部１８を形成し、段部２８で石板１６を受けて支持することもできる。
【００２１】
敷設した石板１６は図４の（Ａ）に示されるように土砂を埋め戻して整地するようにしてもよく、図４の（Ｂ）に示されるように露出させて石畳として用いることもできる。また、伸長した樹根２１は途中で剪定して菌根菌を接種するのがよい。
【００２２】
以上の誘導方法によれば、樹根２１や発根２２を伸長させる領域１２、１３を土壌改良し、その上に石板１６を敷き詰めてその下側に地中水分を結露させ又は湿潤させた領域を作るようにしたので、樹木２０の樹根２１や発根２２の伸びる方向を土壌改良した領域１２、１３に誘導することができ、石材等を持ち上げることなく樹根２１を伸長させ肥大させることができる。
【００２３】
その結果、既に樹根２１がある場所における衰退樹木の樹勢回復や太い樹根２１を切らずに樹勢回復をすることができ、特に土壌の踏圧対策に有効である。
【００２４】
本件発明者らはサクラ、マツ、ツバキ、クロガネモチ、モミジ、クスノキで施工したところ、優れた効果があることを確認した。
【符号の説明】
【００２５】
１１      樹根を伸長させるべき領域
１２，１３      土壌改良した領域
１４      割竹
１５      ネット状パイプ
１６      石板
２０      樹木
２１      樹根
２２      発根
【図１】
2020167954.tif 000003
【図２】
2020167954.tif 000004
【図３】
2020167954.tif 000005
【図４】
2020167954.tif 000006
【図５】
2020167954.tif 000007
【図６】
2020167954.tif 000008